(57)【要約】      （修正有）【課題】従来の扇子は、開扇した時も平板状であるため、上から来る陽光を遮ることはできても、前からや横からの陽射しには対処しがたい。扇面を目深にかざせば前が見えず、歩行の安全が保てない。前や横からの陽射しも遮り、目の前方にかざしても安心して歩行でき、急な雨を一時的にしのぐことにも役立つ扇子を提供する。【解決手段】扇面の表側に、略逆台形状の小プレート材で補強部１４を設け、補強部の中央域を扇根から扇沿方向へ補強骨１８沿いに走る中央折り線で柔らかに折り曲げ可能で、裏扇面に補強部外郭線と背中合わせに小扇骨９を設け、扇面外郭の大扇骨８との間に左右一定間隔で複数の小扇骨を設け、小扇骨沿いに谷折線を設け、補強部−小扇骨−大扇骨の順に閉じ重ね合わせ、扇根の左右端角隅に軸留めされた２つの要を持って左右対称に開閉し、この要を相互にスナップボタン様に留め合わせて合扇することを特徴とする日傘扇子。【選択図】図５
2015217276.tif 000002
【特許請求の範囲】
【請求項１】
通常の扇子を想定した場合において、扇を開いている状態を開扇と呼び、閉じている状態を合扇と呼び、合扇状態において扇子の根元から先端までの身の丈を扇身と呼称し、扇身の要側の末端域を扇根、扇身における扇根の反対側（先端近辺）の一帯域を扇首、扇首の末端縁を扇頂、扇身の左右両外側の縁枠を大扇骨、この２つの大扇骨の間に挟まれた全ての小骨を小扇骨と呼称し、また、開扇状態において面部分を扇面、扇面の大小の扇骨が見えない方を表（おもて）扇面と呼び、扇骨の見える方が裏扇面、扇面の先端縁を扇沿と呼称し、この前提を踏まえて、以下、本発明の技術的構成を説明するのであるが、扇子の扇面には防水加工を施してあり、開扇状態の表扇面を正面に見立てた場合において、幅約５ｃｍ程の扇根底辺から扇沿方向へ中間付近まで、扇面に沿って左右間の中央域を若干先広がりの形で略逆台形状に広がる、少し硬めの・薄くしっかりした・樹脂板等のプレート材を用いて、補強部を設置するのであるが、その際、略逆台形の上辺は浅底すり鉢様窪み形に形成されるのであって、この補強部の表（おもて）面においては、扇根底辺と重なる底辺の左右両端からそれぞれ約１．５ｃｍ程内側の２点から、相互平行に垂直に上辺に達する２本の中央折り線を設け、この中央折り線に沿って扇沿まで伸延された２本の補強骨を設けるのであり、裏扇面においては、補強部の左右の補強部外郭縁と背中合わせに重なる形でそれぞれ扇根から扇頂まで伸延する小扇骨を設けるが、この左右の小扇骨と扇面左右外郭の大扇骨との間に、左右共に同一の一定間隔で複数の小扇骨を設け、これら小扇骨に沿って谷折り線を設けるのであり、このように形成された補強部と小扇骨と大扇骨は、裏扇面側の扇根の左右端角隅の２箇所において、補強部−小扇骨−大扇骨の順に閉じ重ね合わせて、それぞれ別々に軸留めされた二つの要が形説され、斯くして２つの要を持って左右対称に開閉するところの一つの全体としての扇子体が構成され、これを使用する時は通常の扇子同様の要領で開扇し、携帯する場合には左右の要をスナップボタン式に合わせ留めて合扇することを特徴とする日傘扇子。
【発明の詳細な説明】
【技術分野】
【０００１】  本発明は効果的な日よけができる扇子に関するものである。
【背景技術】
【０００２】  従来、主として扇子は暑いときに、扇子を開いて涼しさを得る目的で扇ぐ道具として使われている。自動車用の扇子型日よけ（特許文献１参照）、帽子の形に成型した扇式帽子（特許文献２参照）も知られている。さらに、うちわ型扇子兼用簡易雨具（特許文献３参照）、携帯陽焼け防止手日傘（特許文献４参照）も知られている。
【先行技術文献】
【特許文献】
【０００３】
【特許文献１】  実用新案公開平６−３３７１０号公報
【特許文献２】  特許公開平１１−８１０２８号公報
【特許文献３】  登録実用新案第３０９９７３４号公報
【特許文献４】  特許公開２００９−１８１３２号公報
【発明の概要】
【発明が解決しようとする課題】
【０００４】  特許文献１に示される先行技術は自動車の横窓に取り付けるもので、使用場所が車内だけと限定され、携帯することが出来ない。特許文献２に示される先行技術はかぶることにより服装や髪形に合わないことがあり、正面や横からの日差しを遮れない。また、特許文献３に示される先行技術は団扇面が透ける素材でないため、かざしながらの歩行やスポーツ観戦が出来ない。さらに、特許文献４に示される先行技術は雨よけ効果はなく、紫外線カット処理を施すにはコストがかかる。
本発明は以上の問題点を解決するためになされたものである。
【課題を解決するための手段】
【０００５】  通常の扇子を想定した場合において、扇を開いている状態を開扇と呼び、閉じている状態を合扇と呼び、合扇状態において扇子の根元から先端までの身の丈を扇身と呼称し、扇身の要側の末端域を扇根、扇身における扇根の反対側（先端近辺）の一帯域を扇首、扇首の末端縁を扇頂、扇身の左右両外側の縁枠を大扇骨、この２つの大扇骨の間に挟まれた全ての小骨を小扇骨と呼称する。また、開扇状態において面部分を扇面、扇面の大小の扇骨が見えない方を表（おもて）扇面と呼び、扇骨の見える方が裏扇面、扇面の先端縁を扇沿と呼称する。この前提を踏まえて、以下、本発明の技術的構成を説明する。
扇面には防水加工を施してあるが、開扇状態の表扇面を正面に見立てた場合において、幅約５ｃｍ程の扇根底辺から扇沿方向へ中間付近まで、扇面に沿って左右間の中央域を若干先広がりの形で略逆台形状に広がる、少し硬めの・薄くしっかりした・樹脂板等のプレート材を用いて、補強部を設置する。その際、略逆台形の上辺は浅底すり鉢様窪み形に形成される。この補強部の表（おもて）面において、扇根底辺と重なる底辺の左右端からそれぞれ約１．５ｃｍ程内側の２点から、相互平行に垂直に上辺に達する２本の中央折り線を設け、中央折り線に沿って扇沿まで延長された２本の補強骨を設ける。裏扇面においては、補強部の左右の補強部外郭縁と背中合わせに重なる形でそれぞれ扇根から扇頂まで伸延する小扇骨を設ける。この左右の小扇骨と扇面左右外郭の大扇骨との間に、左右共に同一の一定間隔で複数の小扇骨を設け、これら小扇骨に沿って谷折り線を設ける。このように形成された補強部と小扇骨と大扇骨は、裏扇面側の扇根の左右端角隅の２箇所において、補強部−小扇骨−大扇骨の順に閉じ重ね合わせて、それぞれ別々に軸留めされた二つの要が形成される。斯くして２つの要を持って左右対称に開閉するところの一つの全体としての扇体が構成され、これを使用する時は通常の扇子同様の要領で開扇し、携帯する場合には左右の要をスナップボタン式に合わせ留めて合扇する。
以上を特徴とする日傘扇子である。
【発明の効果】
【０００６】  本発明により、正面から照りつける日差しが眩しい時や日陰のない海水浴場を歩く時、あるいは横断歩道の待ち時間等、日傘扇子を顔にかざして、表扇面の中央折り線で補強部を軽く押し曲げて、裏扇面側に浅い腔ができるようにすれば、紫外線や眩しさから肌や目、頭皮を守ることができ、大きなサンバイザーのような役割を果たす。軽量でコンパクトに折りたためるため携帯にも便利であり、また視界を遮らない透ける素材のため、日傘扇子で目を遮るようにかざしながら歩いても前が見えて危険がなく、日傘が使用できないような狭い車内、スポーツ観戦時のスタジアムや会場での使用も周囲の人へのじゃまにもならない。既存の日傘においては上から注ぐ光を防ぐことはできても、前や横、地面からの照り返しの光を防ぐことは難しいが、日傘扇子はどこから光が注いでも顔や頭部の守りたい部分を守ることができる。また防水加工を施しているため、急な雨を一時的にしのぐこともでき、扇いで涼を得ることもできる。扇子型のため、老若男女、服装、髪型問わず使用することができる。
【図面の簡単な説明】
【０００７】
【図１】本発明の開扇状態における表扇面の平面図
【図２】本発明の開扇状態における裏扇面の平面図
【図３】本発明の合扇された状態における表扇面の平面図
【図４】本発明の合扇された状態における裏扇面の平面図
【図５】本発明の使用例を示す斜視図
【図６】本発明の留め具で合扇した携帯時の状態を示す斜視図
【図７】図６におけるＡ部分の拡大斜視図
【発明を実施するための形態】
【０００８】  以下、本発明の実施の形態を説明する。
扇面（１０）には防水加工を施してあるが、表扇面（１１）を正面に見立てた場合において、幅約５ｃｍ程の扇根（５）底辺から扇沿（１３）方向へ中間付近まで、扇面（１０）に沿って左右間の中央域を若干先広がりの形で略逆台形状に広がる、少し硬めの・薄くしっかりした・樹脂板等のプレート材を用いて、補強部（１４）を設置する。その際、略逆台形の上辺は浅底すり鉢様窪み形（１５）に形成される。この補強部（１４）の表（おもて）面において、扇根（５）底辺と重なる底辺の左右端からそれぞれ約１．５ｃｍ程内側の２点から、相互平行に垂直に上辺に達する２本の中央折り線（１６）を設け、中央折り線（１６）に沿って扇沿（１３）まで伸延された２本の補強骨（１８）を設ける。裏扇面（１２）においては、補強部（１４）の左右の補強部外郭縁（１７）と背中合わせに重なる形でそれぞれ小扇骨（９）を設けるが、この左右の小扇骨（９）と扇面（１０）左右外郭の大扇骨（８）との間に、左右共に同一の一定間隔で複数の小扇骨（９）を設け、これら小扇骨（９）に沿って谷折り線（１９）を設ける。このように形成された補強部（１４）と小扇骨（９）と大扇骨（８）は、裏扇面（１２）側の扇根（５）の左右端角隅の２箇所において、補強部（１４）−小扇骨（９）−大扇骨（８）の順に閉じ重ね合わせて、それぞれ別々に軸留めされた二つの要（４ａ、４ｂ）が形設される。斯くして２つの要（４ａ、４ｂ）を持って左右対称に開閉するところの一つの全体としての扇体が構成され、これを使用する時は通常の扇子同様の要領で開扇（１）し、携帯する場合には左右の要（４）をスナップボタン式に合わせ留めて合扇（２）する。
本発明は、以上のような構成であり、以下、これの具体的な使用形体を説明する。
正面から照りつける日差しが眩しい時や日陰のない海水浴場等を歩く時、あるいは横断歩道の待ち時間等、日傘扇子を顔にかざして、表扇面の中央折り線で補強部を軽く押し曲げて、裏扇面側に浅い腔ができるようにすれば、紫外線や眩しさから肌や目、頭皮を守ることができ、大きなサンバイザーのような役割を果たす。軽量でコンパクトに折りたためるため携帯にも便利であり、また視界を遮らない透ける素材のため、日傘扇子で目を遮るようにかざしながら歩いても前が見えて危険がなく、日傘が使用できないような狭い車内、スポーツ観戦時のスタジアムや会場での使用も周囲の人へのじゃまにもならない。既存の日傘においては上から注ぐ光を防ぐことはできても、前や横、地面からの照り返しの光を防ぐことは難しいが、日傘扇子はどこから光が注いでも顔や頭部の守りたい部分を守ることができる。また防水加工を施しているため、急な雨を一時的にしのぐこともでき、扇いで涼を得ることもできる。扇子型のため、老若男女、服装、髪型問わず使用することができる。
【符号の説明】
【０００９】  １  開扇、  ２  合扇、  ３  扇身、  ４  要、  ４ａ  要、  ４ｂ  要、
５  扇根、  ６  扇首、  ７  扇頂、  ８  大扇骨、  ９  小扇骨、
１０  扇面、  １１  表扇面、  １２  裏扇面、  １３  扇沿、
１４  補強部、  １５  浅底すり鉢様窪み形、１６  中央折り線、
１７  補強部外郭縁、  １８  補強骨、１９  谷折り線
【図１】
2015217276.tif 000003
【図２】
2015217276.tif 000004
【図３】
2015217276.tif 000005
【図４】
2015217276.tif 000006
【図５】
2015217276.tif 000007
【図６】
2015217276.tif 000008
【図７】
2015217276.tif 000009